(57)【特許請求の範囲】
【請求項１】
鍵盤楽器内の前側左右両端付近に対向配置された腕木の間に配された鍵盤の上方を覆うための前蓋と、該前蓋の後端部とその前端部とが連結部により山型に折り畳み可能に連結される後蓋とから構成され、前記鍵盤の上方を覆う位置（以下閉蓋位置）と鍵盤楽器内に収納された位置（以下開蓋位置）との間を移動可能な鍵盤蓋と、
前記閉蓋位置と前記開蓋位置との間で前記鍵盤蓋を案内する鍵盤蓋案内部と
を備える鍵盤楽器の鍵盤蓋開閉機構において、
前記鍵盤蓋案内部は、上側案内部及び下側案内部を有し、
前記閉蓋位置から前記開蓋位置へ移動する前記鍵盤蓋の下面が通過するところに配され、且つ前記閉蓋位置から前記開蓋位置へ移動する際に前記鍵盤蓋の下面が当接し、さらに摺動することよって前記鍵盤蓋を前記連結部から山型に折り曲げる山型形成部と、
前記閉蓋位置から前記開蓋位置へ移動する際に前記山型形成部によって前記連結部から山型に折れ曲がった前記鍵盤蓋が前記鍵盤蓋案内部によって前記開蓋位置まで案内されると、前記鍵盤蓋の後蓋を支持することにより、前記後蓋を、その支持部分を中心にして回転させる回転支持部と、
移動中の前記鍵盤蓋を前記開蓋位置で停止させる鍵盤蓋停止部と、
前記鍵盤蓋停止部によって停止された前記鍵盤蓋を折り畳まれた状態で収納する収納部と、
を備えたことを特徴とする鍵盤楽器の鍵盤蓋開閉機構。
【請求項２】
請求項１記載の鍵盤楽器の鍵盤蓋開閉機構において、
前記鍵盤蓋停止部は、移動中の前記前蓋を停止させることにより、前記鍵盤蓋を前記開蓋位置で停止させるように構成されていることを特徴とする鍵盤楽器の鍵盤蓋開閉機構。
【請求項３】
請求項１または請求項２に記載の鍵盤楽器の鍵盤蓋開閉機構において、
前記鍵盤蓋案内部は、前記鍵盤蓋が前記閉蓋位置から前記開蓋位置へ移動する際に、前記後蓋を斜め下方に案内することを特徴とする鍵盤楽器の鍵盤蓋開閉機構。
【請求項４】
請求項１〜３の何れかに記載の鍵盤楽器の鍵盤蓋開閉機構において、
前記後蓋は、その側方に向けて延出する後蓋突起部を備え、
一方、前記鍵盤蓋案内部は、互いにほぼ平行な下側溝壁面と上側溝壁面とを備え、
前記下側溝壁面が、前記後蓋が前記閉蓋位置と前記開蓋位置との間を移動する際には、前記後蓋突起部を介して鍵盤蓋を下方から支えると共に、前記上側溝壁面が、前記後蓋が前記閉蓋位置と前記開蓋位置との間を移動する際には、前記後蓋突起部を介して鍵盤蓋が上方に外れるのを防ぐように構成されていることを特徴とする鍵盤楽器の鍵盤蓋開閉機構。
【請求項５】
請求項４記載の鍵盤楽器の鍵盤蓋開閉機構において、
前記回転支持部は、前記下側溝壁面の後端近傍と、前記下側溝壁面の後端部と前記上側溝壁面の後端部とを連結する連結溝壁面とから構成されていることを特徴とする鍵盤楽器の鍵盤蓋開閉機構。
【請求項６】
請求項４又は５記載の鍵盤楽器の鍵盤蓋開閉機構において、
前記後蓋突起部は少なくとも２つあり、そのうちの２つが同軸上で反対向きに延出し、
一方、前記鍵盤蓋案内部は少なくとも２つあり、そのうちの２つが、前記同軸上にある２つの後蓋突起部をそれぞれ案内しており、
前記同軸上にある２つの後蓋突起部の少なくとも一方は、伸縮自在に構成されていること
を特徴とする鍵盤楽器の鍵盤蓋開閉機構。
【請求項７】
請求項１〜６の何れかに記載の鍵盤楽器の鍵盤蓋開閉機構において、
前記鍵盤蓋は、その両端付近それぞれにピニオンギヤを有し、且つその移動方向に対して直交する方向に沿って配されて回転可能な案内軸を備えると共に、
前記鍵盤蓋が前記閉蓋位置と前記開蓋位置との間を移動する際に、前記ピニオンギヤそれぞれに噛み合うように配された一対のラックを備えること
を特徴とする鍵盤楽器の鍵盤蓋開閉機構。
【請求項８】
請求項７記載の鍵盤楽器の鍵盤蓋開閉機構において、
前記鍵盤蓋案内部、前記ラックおよび前記山型形成部は、一体に構成されており、前記腕木に対して取り付け・取り外し自在であることを特徴とする鍵盤楽器の鍵盤蓋開閉機構。
【請求項９】
請求項１〜８の何れかに記載の鍵盤楽器の鍵盤蓋開閉機構を備えたことを特徴とする鍵盤楽器。
【発明の詳細な説明】
【０００１】
【発明の属する技術分野】
本発明は、鍵盤楽器の鍵盤蓋開閉機構に関する。
【０００２】
【従来の技術】
近年、電子ピアノや電子オルガンなどのような各種の鍵盤楽器においては、多種多様の演奏を実現する際に用いる各種の操作子や表示器を操作パネル上に配置する必要があるため、操作パネルが大型になってきている。従って、こうした大型の操作パネルや鍵盤を覆う鍵盤蓋もまた、当然のことながら大型化せざるを得ないものであった。
【０００３】
ところで、従来の鍵盤楽器において、演奏者が演奏を行う際には、鍵盤や操作パネルを覆っている大型化した鍵盤蓋をその鍵盤や操作パネル上から取り除いて、鍵盤楽器の内部に収納するようになされていた。なお、一般には、鍵盤や操作パネルを覆っている鍵盤蓋を当該鍵盤や操作パネル上から取り除くことを「鍵盤蓋を開く」と称し、鍵盤蓋により鍵盤や操作パネルを覆うことを「鍵盤蓋を閉じる」と称している。従って、本明細書においても「鍵盤蓋の開閉」は上述した意味に用いるものとする。
【０００４】
このような大型化した鍵盤蓋を１枚の板状材で形成すると、鍵盤楽器の奥行き寸法が大きくなってしまう。
このため、上述したような従来の鍵盤楽器においては、主蓋および副蓋というような複数の板状材を蝶番などで連結して鍵盤蓋を形成し、その連結部で折り曲げて鍵盤楽器内に収納するようにして鍵盤楽器全体の大きさを小型化することが考えられている。例えば特開２００１−３４３９７６号公報に開示されている鍵盤楽器の鍵盤蓋開閉機構は、腕木の内面に固定されたベースに回動自在に支持された第１腕部と、第１腕部と同軸に回動自在に支持され、且つ第１腕部に連動するように構成された第２腕部とを有する支持機構を備えている。
【０００５】
この支持機構は次のように作用する。すなわち、鍵盤蓋の開動作の際に、鍵盤蓋が鍵盤楽器本体内に移動すると、鍵盤蓋が第１腕部に当接する。さらに鍵盤蓋が移動すると第１腕部が鍵盤蓋に押されて回動する。すると、第２腕部が第１腕部に連動して回動し、その先端部が鍵盤蓋を下方から押し上げる。この第２腕部の作用により、鍵盤蓋は蝶番で連結された箇所から折り曲げられる。さらに鍵盤蓋が移動すると、鍵盤蓋は鍵盤楽器本体内に折り曲げられて収納される。
【０００６】
【発明が解決しようとする課題】
しかし、上述のような鍵盤蓋開閉機構はその構造が複雑であり、また回動部分を有するためにその設置には大きなスペースが必要であった。
本発明は、上記したような従来の技術の有する問題点に鑑みてなされたものであり、その目的とするところは、その構造が単純であり、その設置に大きなスペースを必要としない鍵盤楽器の鍵盤蓋開閉機構を提供しようとするものである。
【０００７】
【課題を解決するための手段及び発明の効果】
上記課題を解決するために、請求項１の鍵盤楽器の鍵盤蓋開閉機構は、鍵盤楽器（１：この欄においては、発明への理解の容易化のため、必要に応じて実施の形態中で用いた符号を付すが、この符号によって請求の範囲を限定することを意味するものではない。）内の前側左右両端付近に対向配置された腕木（３，３）の間に配された鍵盤（１０）の上方を覆うための前蓋（１６）と、該前蓋の後端部とその前端部とが連結部（２０）により山型に折り畳み可能に連結される後蓋（１８）とから構成され、前記鍵盤の上方を覆う位置（以下閉蓋位置）と鍵盤楽器内に収納された位置（以下開蓋位置）との間を移動可能な鍵盤蓋（１４）と、前記閉蓋位置と前記開蓋位置との間で前記鍵盤蓋を案内する鍵盤蓋案内部（３６，３８）とを備える鍵盤楽器の鍵盤蓋開閉機構において、前記鍵盤蓋案内部は、上側案内部及び下側案内部を有し、前記閉蓋位置から前記開蓋位置へ移動する前記鍵盤蓋の下面が通過するところに配され、且つ前記閉蓋位置から前記開蓋位置へ移動する際に前記鍵盤蓋の下面が当接し、さらに摺動することよって前記鍵盤蓋を前記連結部から山型に折り曲げる山型形成部（４２）と、前記閉蓋位置から前記開蓋位置へ移動する際前記山型形成部によって前記連結部から山型に折れ曲がった前記鍵盤蓋が前記鍵盤蓋案内部によって前記開蓋位置まで案内されると、前記鍵盤蓋の後蓋を支持することにより、前記後蓋を、その支持部分を中心にして回転させる回転支持部（３８ａ，３８ｃ）と、移動中の前記鍵盤蓋を前記開蓋位置で停止させる鍵盤蓋停止部（３６ｃ）と、前記鍵盤蓋停止部によって停止された前記鍵盤蓋を折り畳まれた状態で収納する収納部と、を備えたことを特徴とする。
【０００８】
本請求項１の鍵盤楽器の鍵盤蓋開閉機構によれば、鍵盤の上方を覆う鍵盤蓋を演奏時などに開けるには、この閉蓋位置にある鍵盤蓋を開蓋位置に向けて移動させればよい。すなわち、前蓋を押すなどして鍵盤蓋を鍵盤楽器本体内に向けて移動させる。この鍵盤蓋は、閉蓋位置と開蓋位置との間を上側案内部及び下側案内部を有する鍵盤蓋案内部に案内される。すると移動中の鍵盤蓋の下面が通過するところに配された山型形成部に前記鍵盤蓋の下面が当接し、さらに摺動することよって山型形成部が移動中の鍵盤蓋をその連結部から山型に折り曲げる。続いて連結部から山型に折れ曲がった鍵盤蓋が鍵盤蓋案内部によって開蓋位置まで案内されると、回転支持部が、鍵盤蓋の後蓋を支持する。すると、後蓋の前端部が後端部への方向とは異なる方向へ押され、後蓋がその支持部分を中心に回転して鍵盤蓋がさらに折れ曲がっていく。最後に鍵盤蓋停止部が、鍵盤蓋を開蓋位置で停止させ、鍵盤蓋を鍵盤楽器本体内に折り畳まれた状態で収納させる。この場合、請求項２のように鍵盤蓋停止部が、移動中の前蓋を停止させるように構成すればよい。
【０００９】
一方、演奏終了後などに鍵盤蓋を閉じるには、この開蓋位置にある鍵盤蓋を閉蓋位置に向けて移動させればよい。すなわち、鍵盤楽器本体内に折り畳まれた状態で収納されていた鍵盤蓋を、前蓋を手前に引くなどして鍵盤の上方に向けて移動させる。すると、鍵盤蓋が鍵盤蓋停止部から離れ、さらに後蓋が鍵盤蓋を開けるときとは反対方向に回転する。この間、鍵盤蓋の山型が平らに近づいていく。次に後蓋が回転支持部から離れ、鍵盤蓋が鍵盤楽器本体内から引き出されていく。そして、鍵盤蓋が、鍵盤の上方を覆う閉鎖位置となる。
【００１０】
このように鍵盤蓋を鍵盤楽器本体内に折り畳んで収納するためには、山型形成部、回転支持部および鍵盤蓋停止部を備えればよく、したがって、鍵盤蓋を開閉させるための構成を単純にでき、またこれらは可動部分を有しないので、その設置には大きなスペースを必要としない。
【００１１】
なお、鍵盤楽器には、鍵盤の後方の斜め上方に操作パネル（１２）が傾斜して設置されているものもある。このような鍵盤楽器においては、閉蓋位置にある鍵盤蓋が、鍵盤の上方と共に操作パネルの上方も覆う。
また、上述した鍵盤蓋案内部を、請求項３のように、鍵盤蓋が閉蓋位置から開蓋位置へ移動する際に後蓋を斜め下方に案内するように構成すれば、後蓋をコンパクトに回転させることができる。このときの鍵盤蓋を収納するスペースの奥行き寸法は、鍵盤楽器本体内の後方に略水平に案内する場合に比べて小さくてよい。したがって、鍵盤楽器本体の奥行き寸法を小さくすることが出来る。
【００１２】
そして、請求項４のように、後蓋がその側方に向けて延出する後蓋突起部（３２）を備え、一方、鍵盤蓋案内部が、互いにほぼ平行な下側溝壁面（３８ａ）と上側溝壁面（３８ｂ）とを備え、下側溝壁面が、後蓋が閉蓋位置と開蓋位置との間を移動する際には、後蓋突起部を介して鍵盤蓋を下方から支えると共に、上側溝壁面が、後蓋が閉蓋位置と開蓋位置との間を移動する際には、後蓋突起部を介して鍵盤蓋が上方に外れるのを防ぐように構成すれば、鍵盤蓋の安定した移動が可能となる。
【００１３】
この場合、請求項５のように、回転支持部を、下側溝壁面の後端近傍（３８ａ）と、下側溝壁面の後端部と上側溝壁面の後端部とを連結する連結溝壁面（３８ｃ）とから構成するとよい。このような構成にすれば、鍵盤蓋が閉蓋位置から開蓋位置に移動する際には、後蓋の後蓋突起部が、下側溝壁面の後端近傍と連結溝壁面とに当接し、この後蓋突起部を中心にして後蓋が回転する。したがって、後蓋をスムーズに回転させることができる
また、上述の鍵盤蓋の移動は、次のようにすればさらに安定する。すなわち、前蓋がその側方に向けて延出する前蓋突起部（２４）を備え、下側溝壁面（３６ａ）が、前蓋が閉蓋位置と開蓋位置との間を移動する際には、前蓋突起部を介して鍵盤蓋を下方から支えると共に、上側溝壁面（３６ｂ）が、前蓋が閉蓋位置と開蓋位置との間を移動する際には、前蓋突起部を介して鍵盤蓋が上方に外れるのを防ぐように構成することである。
【００１４】
さらに、次のような構成も考えられる。すなわち、後蓋突起部が少なくとも２つあり、そのうちの２つが同軸上で反対向きに延出し、一方、鍵盤蓋案内部が少なくとも２つあり、そのうちの２つが、前記同軸上にある２つの後蓋突起部をそれぞれ案内するように構成することである。このような構成にすれば、鍵盤蓋案内部が、少なくとも鍵盤蓋を両側から支持して案内するので、その姿勢や移動が安定する。
【００１５】
この場合、請求項６のように、同軸上にある２つの後蓋突起部の少なくとも一方を伸縮自在に構成すると、鍵盤楽器本体に対する鍵盤蓋の取り付けおよび取り外しが容易に行える。
すなわち、後蓋を鍵盤楽器本体に取り付けるには、まず、同軸上にある２つの後蓋突起部のうち伸縮自在な方を縮ませた状態にし、これら後蓋突起部が、それぞれを案内する２つの鍵盤蓋案内部の間に位置するように後蓋を移動させる。そして、縮ませた状態の後蓋突起部を伸ばすと、これら後蓋突起部が２つの鍵盤蓋案内部の間に入る。つまり鍵盤蓋が鍵盤楽器本体に取り付けられる。
【００１６】
一方、鍵盤蓋を鍵盤楽器本体から取り外すには、伸縮自在な後蓋突起部を縮ませた状態にする。こうすれば、同軸上にある２つの後蓋突起部を２つの鍵盤蓋案内部の間から移動させることができ、つまり後蓋を鍵盤楽器本体から取り外すことができる。
【００１７】
ところで、例えば鍵盤蓋を鍵盤楽器本体内に収納する際に真っ直ぐ押さなかった場合には、案内軸の両端には同程度の力が作用せず、これら両端のうちの一方が空転したり滑ったりするなど鍵盤蓋をうまく移動させられない事態が生じる。
そこで、請求項７のように、鍵盤蓋がその両端付近それぞれにピニオンギヤ（３４）を有し、且つその移動方向に対して直交する方向に沿って配されて回転可能な案内軸（３０）を備えると共に、鍵盤蓋が前記閉蓋位置と前記開蓋位置との間を移動する際に、前記ピニオンギヤそれぞれに噛み合うように配された一対のラック（４０）を備える構成とすれば、案内軸の両端のピニオンギヤとラックとが噛み合っているので、上述のような空転や滑りが生じず、したがって、鍵盤蓋の移動をさらに安定させることができる。
【００１８】
この場合、案内軸がその両端付近に後蓋突起部を備えるようにすれば、その構成が単純になる。
ところで、上述の鍵盤蓋案内部、ラックおよび山型形成部を、請求項８のように、一体に構成して腕木（３，３）に対して取り付け・取り外し自在とすれば、腕木に対してビスなどで容易に取り付けることができ、したがって、鍵盤楽器の組立工数を低減できる。
【００１９】
【発明の実施の形態】
以下、本発明が適用された実施例について図面を用いて説明する。なお、本発明の実施の形態は、下記の実施例に何ら限定されることなく、本発明の技術的範囲に属する限り、種々の形態を採りうることは言うまでもない。
【００２０】
図１は、本実施例の鍵盤楽器１の側断面図であり、その鍵盤蓋１４が閉蓋位置にあるところを示している。なお、「閉蓋位置」については後述する。この鍵盤楽器１は、鍵盤楽器１の内部の前側左右両端付近に対向配置された腕木３，３、天板５、天板５の下方に配された奥屋根６、底板８、背面板９および腕木３，３の間に配された鍵盤１０と操作パネル１２等により形成されている。このうち鍵盤１０は白鍵および黒鍵を備えており、腕木３，３の間の前方にある。また、操作パネル１２は、各種スイッチおよび電子回路を備えており、鍵盤１０の後方斜め上方において、背面板９に近づくに従って上方に傾斜して配置されている。
【００２１】
そして、本実施例の鍵盤蓋１４は、鍵盤１０および操作スイッチ１２の上方を覆うものであり、これらのうち前方側を覆う板状の前蓋１６および後方側を覆う板状の後蓋１８を備えている。これら前蓋１６の後端部と後蓋１８の前端部とは、連結部としての蝶番２０により山型に折り畳み可能に連結されている。
【００２２】
このうち、前蓋１６は、下方に垂れて鍵盤１０の前方を覆う前垂れ部２２をその前端部に備えている。さらに、前蓋１６の側面からは、前蓋突起部２４，２４がそれぞれ左右方向に向けて延出している。
一方、後蓋１８の下面には、図２（ａ）に示すように、鍵盤蓋軸ホルダー２６が鍵盤蓋軸ホルダー取付金具２８を介して取り付けられている。なお、鍵盤蓋軸ホルダー２６を、鍵盤蓋軸ホルダー取付金具２８を介さずに後蓋１８に取り付ける構成としてもよい。この鍵盤蓋軸ホルダー２６は軸用穴２６ａを有しており、この軸用穴２６ａには、図２（ｂ）に示すように案内軸３０が通されている。なお、この軸用穴２６ａは、案内軸３０が回転可能となるようにその形状が設定されている。そして、これら鍵盤蓋軸ホルダー２６および鍵盤蓋軸ホルダー取付金具２８は、図２（ａ）に示すように、案内軸３０が鍵盤蓋１４の左右方向に沿って配されるように設定されている。
【００２３】
また、図１および図２（ｂ）に示すように、案内軸３０の両端には後蓋突起部３２，３２がそれぞれ取り付けられている。具体的には、この後蓋突起部３２は円柱状であり、その一端からは、取付穴３２ａが軸方向に沿って開けられている。また、後蓋突起部３２には、取付穴３２ａに連通するビス穴３２ｂが後蓋突起部３２の直径方向に沿って開けられている。さらに、後蓋突起部３２には、ピニオンギヤ３４がその周方向に沿って設けられている。
【００２４】
この後蓋突起部３２を案内軸３０に取り付けるには、まず図２（ｂ）における左の後蓋突起部３２の取付穴３２ａに案内軸３０の先端（図２（ｂ）では左の先端）を差し入れる。次に、図示しないビスをビス穴３２ｂからねじ入れ、ビスが案内軸３０の側面を押圧し、後蓋突起部３２が案内軸３０に対して動かなくなるまで締めればよい（図２（ｂ）における右の後蓋突起部３２）。このような手順にて案内軸３０の両端それぞれに後蓋突起部３２を取り付ける。一方、案内軸３０に取り付けられた後蓋突起部３２を取り外すには、上述の取り付け手順を逆に辿ればよい。
【００２５】
さて、鍵盤楽器１は、一対の前蓋案内部３６，３６および一対の後蓋案内部３８，３８をそれぞれ腕木３，３に備えている。これら前蓋案内部３６，３６および後蓋案内部３８，３８は、鍵盤蓋案内部に該当する。
このうち前蓋案内部３６，３６は、腕木３，３の内面に沿って配されて互いにほぼ平行な下側溝壁面３６ａおよび上側溝壁面３６ｂを備えている。これら下側溝壁面３６ａおよび上側溝壁面３６ｂは、背面板９に近づくに従って上方に傾斜している。また、下側溝壁面３６ａおよび上側溝壁面３６ｂは、これらの前端部同士が連結溝壁面により連結されており、且つこれらの後端部同士が連結溝壁面３６ｃにより連結されている。なお、上述の下側溝壁面３６ａおよび上側溝壁面３６ｂの後端部同士が連結溝壁面３６ｃで連結された部分が鍵盤蓋停止部に該当する。さらに、これら前蓋案内部３６，３６にはそれぞれ複数の取付穴が開けられており、前蓋案内部３６，３６は、これら取付穴にビスなどを通して腕木３，３にそれぞれ固定されている。
【００２６】
一方、後蓋案内部３８，３８は、腕木３，３の内面に沿って配されて互いにほぼ平行な下側溝壁面３８ａおよび上側溝壁面３８ｂを備えている。これら下側溝壁面３８ａおよび上側溝壁面３８ｂは、略水平部分と傾斜部分とからなり、このうち傾斜部分は、背面板９に近づくに従って下方に傾斜している。これら下側溝壁面３８ａおよび上側溝壁面３８ｂは、これらの前端部同士が連結溝壁面により連結されており、これらの後端部同士が連結溝壁面３８ｃにより連結されている。なお、下側溝壁面３８ａの後端近傍および連結溝壁面３８ｃは、回転支持部に該当する。
【００２７】
また、この後蓋案内部３８には、特許請求の範囲におけるラックおよび山型形成部が一体に構成されている。すなわち、後蓋案内部３８の下部には、ラック４０が下側溝壁面３８ａに沿って設けられている。このラック４０は、後蓋１８を後蓋案内部３８に取り付けた際に、ピニオンギヤ３４と噛み合うように設定されている。そして、ラック４０の前端部および後端部には、山型形成部４２がそれぞれ設けられている。このうち、ラック４０の前端部に設けられた山型形成部４２は、鍵盤楽器１に取り付けられた鍵盤蓋１４が移動する際にその下面が通過するところに配されている。
【００２８】
さらに、この後蓋案内部３８，３８には複数の取付穴３８ｄがそれぞれ開けられており、後蓋案内部３８，３８は、これら取付穴３８ｄにビスなどを通して腕木３，３にそれぞれ固定されている。
なお、図１に示した後蓋案内部３８の形状は前後対称となっており、左右の腕木３，３に同一の後蓋案内部３８を用いている。このことにより、左右の腕木３，３に対応した後蓋案内部を個別に作らなくてもよい。また、左右の腕木３，３それぞれに個別の形状の後蓋案内部を、鍵盤楽器１の大きさ等に合わせて用いてもよい（図６の後蓋案内部１００，１００）。
【００２９】
上述の鍵盤蓋１４は、前蓋１６の前蓋突起部２４，２４および後蓋１８の後蓋突起部３２，３２を介して鍵盤蓋案内部（前蓋案内部３６，３６および後蓋案内部３８，３８）に取り付けられることにより鍵盤楽器１に取り付けられる。
それには、まず、図１に示すように前蓋１６の前蓋突起部２４，２４をそれぞれ前蓋案内部３６，３６に差し入れた状態とする。具体的には、前蓋１６の前蓋突起部２４，２４を、それぞれ下側溝壁面３６ａと上側溝壁面３６ｂとの間に差し入れた状態とする。前蓋突起部２４，２４は、それぞれ下側溝壁面３６ａおよび上側溝壁面３６ｂの前端部と、これらの後端部との間を移動できる。この場合、下側溝壁面３６ａは、前蓋１６が移動する際には、前蓋突起部２４を介して前蓋１６を下方から支える。一方、上側溝壁面３６ｂは、前蓋１６が移動する際には、前蓋突起部２２を介して前蓋１６が上方に外れるのを防ぐ。
【００３０】
次に、図１に示すように後蓋１８の後蓋突起部３２，３２をそれぞれ後蓋案内部３８，３８に差し入れた状態とする。この際、上述のように後蓋突起部３２，３２が案内軸３０に対して伸縮自在に構成された後蓋１８は、次のように鍵盤楽器１に対して取り付け・取り外しが可能である。すなわち、後蓋１８を鍵盤楽器１に取り付ける際には、まず案内軸３０の両端を後蓋突起部３２，３２の取付穴３２ｂ，３２ｂの奥までそれぞれ差し入れた状態にする。なお、この場合の後蓋突起部３２，３２の両端の間の距離は、後蓋案内部３８，３８の間の距離よりも短くなるように、取付穴３２ｂの深さおよび案内軸３０の長さが設定されている。
【００３１】
続いて後蓋１８を、後蓋突起部３２，３２および案内軸３０が後蓋案内部３８，３８の間に位置するように移動させる。そして、後蓋突起部３２，３２を後蓋案内部３８，３８それぞれの下側溝壁面３８ａと上側溝壁面３８ｂとの間に差し入れるように移動させる。この際、後蓋突起部３２，３２のピニオンギヤ３４，３４と後蓋案内部３８，３８のラック４０，４０とがそれぞれ噛み合う。続いてビスを各ビス穴３２ｂからねじ入れ、後蓋突起部３２が案内軸３０に対して動かなくなるまで締めると後蓋１８が鍵盤楽器１に取り付けられる（図２（ｃ））。
【００３２】
すると、後蓋突起部３２，３２は、それぞれ下側溝壁面３８ａおよび上側溝壁面３８ｂの前端部とこれらの後端部との間を、ピニオンギヤ３４とラック４０とを噛み合わせながら移動できる。この場合、下側溝壁面３８ａは、後蓋１８が移動する際には、後蓋突起部３２を介して後蓋１８を下方から支える。一方、上側溝壁面３８ｂは、後蓋１８が移動する際には、後蓋突起部３２を介して後蓋１８が上方に外れるのを防ぐ。
【００３３】
なお、上述のように鍵盤楽器１に取り付けられた状態の鍵盤蓋１４を、鍵盤楽器１の前側に移動させると、前蓋突起部２４，２４がそれぞれ前蓋案内部３６，３６の前端部に当接したり、または後蓋突起部３２，３２がそれぞれ後蓋案内部３８，３８の前端部に当接したりすることにより、鍵盤蓋１４が停止する。この場合、鍵盤蓋１４は、背面板９に近づくに従って上方に傾斜し、鍵盤１０および操作パネル１２の上方を覆うように配置される（閉蓋位置）。
【００３４】
一方、上述のように鍵盤楽器１に取り付けられた後蓋１８を取り外すには、上述の取り付け手順を逆に辿ればよい。すなわち、後蓋突起部３２を案内軸３０に固定しているビスを緩め、後蓋突起部３２，３２がそれぞれ案内軸３０の軸方向に動くようにする。続いて後蓋突起部３２，３２を動かし、後蓋突起部３２，３２の両端の間の距離を、後蓋案内部３８，３８の間の距離よりも短くする。そして、後蓋１８を上方に移動させて鍵盤楽器１より取り外す。
【００３５】
なお、鍵盤楽器１の他の構成は公知技術に従っているので、詳細の説明は省略する。
次に鍵盤蓋１４の開閉動作について説明する。
鍵盤１０および操作パネル１２の上方を覆う鍵盤蓋１４（図１、閉蓋位置）を演奏時などに開けるには、まず前蓋１６を押すなどして鍵盤蓋１４を鍵盤楽器１の内部に向けて移動させる。すると、鍵盤蓋１４がその下面が通過するところに配された山型形成部４２，４２に当接する（図３）。この状態から鍵盤蓋１４をさらに移動させると、鍵盤蓋１４は山型形成部４２，４２に摺動して山型形成部４２，４２により蝶番２０から山型に折り曲がり始める。
【００３６】
その状態からさらに鍵盤蓋１４を移動させると、後蓋１８の後蓋突起部３２，３２がそれぞれ後蓋案内部３８，３８の後端部に到着してそれぞれ連結溝壁面３８ｃ，３８ｃに当接する。
その状態からさらに鍵盤蓋１４を移動させると、後蓋１８の前端部が後端部への方向とは異なる方向へ押される。すると、後蓋１８が、下側溝壁面３８ａ，３８ａの各後端近傍および連結溝壁面３８ｃ，３８ｃ（回転支持部）に支持された後蓋突起部３２，３２および案内軸３０を中心に回転し始め、鍵盤蓋１４がさらに折れ曲がっていく（図４）。
【００３７】
その状態からさらに鍵盤蓋１４を移動させると、前蓋突起部２４，２４がそれぞれ前蓋案内部３６，３６の各後端部に到着してそれぞれ連結溝壁面３６ｃ，３６ｃ（鍵盤蓋停止部）に当接する。すると鍵盤蓋１４の移動が停止し（これは後蓋１８の回転も停止することを意味する）、鍵盤楽器１の内部に折り畳まれた状態で収納される（図５、開蓋位置）。
【００３８】
一方、演奏終了後などに鍵盤蓋１４を閉じるには、鍵盤楽器１の内部に折り畳まれた鍵盤蓋１４を、前蓋１６を手前に引くなどして鍵盤１０および操作パネル１２の上方に向けて移動させる。すると、鍵盤蓋１４の前蓋突起部２４，２４がそれぞれ前蓋案内部３６，３６の各後端部から離れ、さらに後蓋１６が、鍵盤蓋１４を開けるときとは反対方向に回転する。この間、鍵盤蓋１４の山型が平らに近づいていく。
【００３９】
その状態からさらに鍵盤蓋１４を移動させると、後蓋１８が後蓋案内部３８の後端部（回転支持部）から離れ、鍵盤蓋１４が鍵盤楽器１の内部から引き出されていく。
その状態からさらに鍵盤蓋１４を移動させると、前蓋１６の前蓋突起部２４，２４がそれぞれ前蓋案内部３６，３６の各前端部に到着する。すると、鍵盤蓋１４が停止し、鍵盤１０および操作パネル１２の上方を覆う（図１、閉鎖位置）。
【００４０】
このように、本実施例の鍵盤楽器１においては、鍵盤蓋１４を鍵盤楽器１の内部に折り畳んで収納するためには、山型形成部４２、回転支持部（下側溝壁面３８ａ，３８ａの各後端近傍および連結溝壁面３８ｃ，３８ｃ）および鍵盤蓋停止部（連結溝壁面３６ｃ，３６ｃ）を備えればよく、したがって、鍵盤蓋１４を開閉させるための構成を単純にでき、またこれらは可動部分を有しないので、その設置には大きなスペースを必要としない。
【００４１】
そして、上述の後蓋案内部３８，３８は、閉蓋位置から開蓋位置へ移動する後蓋１８の後蓋突起部３２，３２をそれぞれ後方斜め下方に導くので、後蓋１８をコンパクトに回転させることができる。このときの鍵盤蓋１４を収納するスペースの奥行き寸法は、鍵盤楽器１の後方に略水平に案内する場合に比べて小さくてよい。したがって、鍵盤楽器１の奥行き寸法を小さくすることが出来る。
【００４２】
また、鍵盤蓋１４を鍵盤楽器１の後方に略水平に案内する場合には、奥屋根６を鍵盤蓋１４の動作に干渉しないように高い位置に設定する必要がある。この点本実施例では、上述のように後蓋案内部３８，３８が後蓋突起部３２，３２をそれぞれ後方斜め下方に導くので、後蓋１８の回転の支点が相対的に低い位置となってその軌跡も低いところとなる。したがって、奥屋根６を低位置に設定することができ、鍵盤楽器１の全高を低くできる。
【００４３】
さらに、後蓋突起部３２，３２を、それぞれ案内軸３０の両端に対して伸縮自在に構成したので、鍵盤楽器１に対する鍵盤蓋１４の取り付けおよび取り外しが容易に行われる。また同様に、前蓋突起部２４，２４を前蓋１６に対して伸縮自在に構成すれば、なおよい。
【００４４】
なお、閉蓋位置と開蓋位置との間で鍵盤蓋１４を移動させる際において、例えば真っ直ぐ押さなかった場合であっても、ピニオンギヤ３４，３４とラック４０，４０とがそれぞれ噛み合っているので、これら両端のうちの一方が空転したり滑ったりするような事態が生じず、したがって、鍵盤蓋１４の移動をさらに安定させることができる。
【００４５】
［別実施例］
（１）上記実施例の鍵盤蓋１４は２枚の蓋から構成したが、３枚以上の蓋による構成としてもよい。この場合、鍵盤蓋１４をさらにコンパクトに折り畳むことが出来る。
（２）上記実施例では、連結溝壁面３６ｃ，３６ｃなどの鍵盤蓋停止部により、閉蓋位置から開蓋位置に向けて移動する鍵盤蓋１４を開蓋位置にて停止させているが、例えば、後蓋案内部３８，３８の連結溝壁面３８ｃ，３８ｃなどにより鍵盤蓋１４を開蓋位置にて停止させるように構成してもよい。
（３）上記実施例では、腕木３，３側に凹状の前蓋案内部３６，３６および後蓋案内部３８，３８を備え、一方、鍵盤蓋１４側に凸状の前蓋突起部２４，２４および後蓋突起部３２，３２を備えたが、腕木３，３側が凸状の突起部をそれぞれ備え、一方、鍵盤蓋１４側が凹状の案内部をそれぞれ備える構成としてもよい。
（４）上記実施例では、案内軸３０の両端付近にピニオンギヤ３４，３４をそれぞれ備え、一方、後蓋案内部３８，３８にピニオンギヤ３４，３４に対応するラック４０，４０をそれぞれ備えているが、これらピニオンギヤ３４およびラック４０による効果を奏するものであれば、他の構成（例えば、ローラとレール、ゴム材など）としてもよい。
【図面の簡単な説明】
【図１】実施例の鍵盤楽器の側断面図であり、その鍵盤蓋が閉蓋位置にあるところを示している。
【図２】実施例の鍵盤蓋の後蓋の説明図であり、（ａ）は鍵盤蓋軸ホルダーおよび鍵盤蓋軸ホルダー取付金具を示し、（ｂ）は鍵盤蓋軸ホルダー、案内軸およびピニオンギヤを示し、（ｃ）は後蓋を後蓋案内部に取り付けた状態を示している。
【図３】閉蓋位置から開蓋位置へ移動する鍵盤蓋を示す鍵盤楽器の側断面図（１）である。
【図４】閉蓋位置から開蓋位置へ移動する鍵盤蓋を示す鍵盤楽器の側断面図（２）である。
【図５】開蓋位置にある鍵盤蓋を示す鍵盤楽器の側断面図である。
【図６】鍵盤蓋案内部の別実施例を示す側断面図である。
【符号の説明】
１…鍵盤楽器、３…腕木、５…天板、６…奥屋根、８…底板、９…背面板、１０…鍵盤、１２…操作パネル、１４…鍵盤蓋、１６…前蓋、１８…後蓋、２０…蝶番、２２…前垂れ部、２４…前蓋突起部、２６…鍵盤蓋軸ホルダー、２６ａ…軸用穴、２８…鍵盤蓋軸ホルダー取付金具、３０…案内軸、３２…後蓋突起部、３２ａ，３８ｄ…取付穴、３２ｂ…ビス穴、３４…ピニオンギヤ、３６…前蓋案内部、３６ａ，３８ａ…下側溝壁面、３６ｂ，３８ｂ…上側溝壁面、３６ｃ，３８ｃ…連結溝壁面、３８，１００…後蓋案内部、４０…ラック、４２…山型形成部
【図１】
0003905421.tif 000002
【図２】
0003905421.tif 000003
【図３】
0003905421.tif 000004
【図４】
0003905421.tif 000005
【図５】
0003905421.tif 000006
【図６】
0003905421.tif 000007